(57)【特許請求の範囲】
【請求項１】
切換開閉器又はタップ選択開閉器などの開閉装置を備えた負荷時タップ切換器を変圧器タンクに内蔵した負荷時タップ切換変圧器において、上記変圧器タンクの外壁に上記開閉装置を支承可能で前方が開放された一対の支持腕で構成された支持手段を設けたことを特徴とする負荷時タップ切換変圧器。
【請求項２】
前記支持手段は前記変圧器タンクの外壁に支承されたピンにより回動自在に取り付けられ、この支持手段が前記開閉装置を支持していないとき、前記変圧器タンクの外壁側に移動可能に構成されていることを特徴とする請求項１に記載の負荷時タップ切換変圧器。
【発明の詳細な説明】
【０００１】
【発明の属する技術分野】
この発明は、点検作業を容易にした負荷時タップ切換変圧器に関するものである。
【０００２】
【従来の技術】
一般に、変圧器内に内蔵された負荷時タップ切換器の切換開閉器やタップ選択開閉器等は、電流の開閉により接点が消耗するので、定期的に点検が行われる。
図９は、従来の負荷時タップ切換変圧器の点検作業状態を示す構成図である。図９において、切換開閉器又はタップ選択開閉器などの開閉装置１は、側面から見てＴ字状に一体化した構成とされている。そして、変圧器２の頭部の変圧器タンク２ａ内に配置された開閉器容器３に装着され、カバー４により密閉されている。
点検の際には、カバー４を開けてクレーン５により開閉装置１を吊り出す。この場合、開閉装置１の頭部が大きいため、あるいは全体の重心が高いために安定性が悪く自立性がないので、床上に準備された支持台６上に載置する。
【０００３】
【発明が解決しようとする課題】
従来の負荷時タップ切換変圧器は以上のように構成されているので、点検に際して床面が傾斜しているとか、大きな凹凸がある等、点検作業場所の状態が悪い場合は支持台６の使用が困難であるという問題点があった。
この発明は以上のような問題点を解消するためになされたもので、作業場所の状態が悪い場合でも容易に点検作業を行うことができる負荷時タップ切換変圧器を提供することを目的としたものである。
【０００４】
【課題を解決するための手段】
この発明に係る負荷時タップ切換変圧器は、負荷時タップ切換器の切換開閉器又はタップ選択開閉器などの開閉装置を変圧器タンクに内蔵した負荷時タップ切換変圧器において、変圧器タンクの外壁に開閉装置を支承可能で前方が開放された一対の支持手段を設けたものである。
また、支持手段が変圧器タンクの外壁に支承されたピンにより回動自在に取り付けられ、この支持手段が開閉装置を支持していないとき、変圧器タンクの外壁側に移動可能に構成されているものである。
【０００５】
【発明の実施の形態】
実施の形態１．
図１は実施の形態１の構成を示す断面図、及び図２は図１の要部を示す平面図である。図１及び図２において、７は油、ガスなどの絶縁媒体が封入された変圧器タンク、８は変圧器タンク７に収納された巻線である。なお、変圧器タンク７及び巻線８で変圧器９が構成されている。１０は変圧器タンク７の頭部に吊り下げられた開閉器容器で、絶縁ガスが封入されている。１１は開閉器容器１０を密閉するカバー、１２は切換開閉器又はタップ選択開閉器などの開閉装置で、開閉器容器１０内に配置されている。１３は変圧器タンク７の外壁に溶接等により固着された支持手段で、開閉装置１２を支承可能な額縁枠状に構成されている。
次に点検作業の要領について説明する。図３は点検作業の状態を示す説明図である。図１から図３において、点検作業の際には、まずカバー１１を開ける。そして、クレーン等の吊上装置１４により開閉装置１２を吊り出して、支持手段１３上に載置する。
【０００６】
以上のように、変圧器タンク７の外壁に開閉装置１２を支承可能な支持手段１３を設けたことにより、点検作業場所の状態が悪くても吊り出した開閉装置１２を、変圧器タンク７の外壁に設けた支持手段１３に安定した状態で載置できるので、安全な点検作業を行うことができる。さらに、点検時に変圧器タンク７から吊り出した開閉装置１２を支承する支持台を現地に準備しなくても点検作業を容易に行うことができる。
実施の形態１において、支持手段１３を額縁枠状に構成したものについて説明したが、図４に示すように変圧器タンク７の外壁に固着された一対の支持腕１５で支持手段１６を構成しても同様の効果を期待することができる。また、支持手段１６は前方が開放されているので、支持手段１６に載置された開閉装置１２の点検作業を容易に行うことができる。
さらに、実施の形態１において、支持手段１３を変圧器タンク７の外壁に溶接等により固着したものについて説明したが、図５に示すように支持腕１７をボルト１８で変圧器タンク７の外壁に取り付けた支持手段１９を構成しても同様の効果を期待することができる。さらに、点検作業終了後は支持腕１７を取り外しておくことにより、変圧器タンク７の外壁の突出物を除去できるので、通常運転時における安全性の向上を図ることができる。
【０００７】
実施の形態２．
図６は実施の形態２の要部を示す平面図及び図７は図６の側面図である。図６及び図７において、７，１２は実施の形態１のものと同様のものである。２０は変圧器タンク７の外壁に溶接等により固着された一対の取付座、２１は中心軸が鉛直方向になるように各取付座２０に支持された一対のピンで、中心軸を中心にして回動自在である。２２は各ピン２１に固着された一対の支持腕で、開閉装置１２を支承可能である。なお、２０〜２２で支持手段２３を構成している。
以上の構成において、点検作業終了後に支持腕２２を、変圧器タンク７の外壁側に移動させることにより、変圧器タンク７の外壁の突出物を容易に収納できると共に、通常運転時における安全性の向上を図ることができる。
【０００８】
実施の形態３．
図８は実施の形態３の構成を示す平面図及び図９は図８の側面図である。図８及び図９において、７，１２は実施の形態１のものと同様のものである。２４は変圧器タンク７の外壁に溶接等により固着された一対の取付座、２５は中心軸が水平方向になるように各取付座２４に支持された一対のピンで、中心軸を中心にして回動自在である。２６は各ピン２５に固着された一対の支持腕で、開閉装置１２を支承可能である。２７は変圧器タンク７の外壁の各取付座２４の下方に溶接等により固着された一対の取付座、２８は中心軸が水平方向になるように各取付座２７に支持された一対のピンで、中心軸を中心にして回動自在である。２９はそれぞれ一端が各ピン２８に固着された一対の補強腕で、他端がそれぞれ各支持腕２６の中央部近傍にピン３０で係止可能である。なお、２４〜３０で支持手段３１が構成されている。
【０００９】
以上の構成において、点検作業終了後に二点鎖線で示すように、支持腕２６を変圧器タンク７の上方の外壁側に移動させ、補強腕２９を変圧器タンク７の下方側に移動させることにより、変圧器タンク７の外壁の突出物を容易に収納できると共に、通常運転時における安全性の向上を図ることができる。
実施の形態２及び実施の形態３において、各ピン２１，２５，２８を取り外し可能にして支持腕２２，２６及び補強腕２９を脱着自在にすることにより、複数台の負荷時タップ切換変圧器の点検作業に共用することができる。
【００１０】
【発明の効果】
この発明によれば、変圧器タンクの外壁に開閉装置を支承可能で前方が開放された一対の支持手段を設けたことにより、点検作業場所の状態が悪くても吊り出した開閉装置を、変圧器タンクの外壁に設けた支持手段に安定した状態で載置できるので、安全な点検作業を行うことができる。
また、支持手段が変圧器タンクの外壁に支承されたピンにより回動自在に取り付けられ、点検作業終了後に支持手段を変圧器タンクの外壁側に移動させることにより、変圧器タンクの外壁の突出物を容易に収納できると共に、通常運転時における安全性の向上を図ることができる。
【図面の簡単な説明】
【図１】  この発明の実施の形態１の構成を示す断面図である。
【図２】  図１の要部を示す平面図である。
【図３】  実施の形態１による点検作業の状態を示す説明図である。
【図４】  実施の形態１の他の構成を示す要部の平面図である。
【図５】  実施の形態１の他の構成を示す要部の平面図である。
【図６】  この発明の実施の形態２の要部を示す平面図である。
【図７】  図６の側面図である。
【図８】  この発明の実施の形態３の構成を示す側面図である。
【図９】  従来の負荷時タップ切換変圧器の点検作業状態を示す構成図である。
【符号の説明】
７  変圧器タンク、１２  開閉装置、
１３，１６，１９，２３，３１  支持手段、１５，１７  支持腕、
２１，２５，２８  ピン。
【図１】
0004354624.tif 000002
【図２】
0004354624.tif 000003
【図３】
0004354624.tif 000004
【図４】
0004354624.tif 000005
【図５】
0004354624.tif 000006
【図６】
0004354624.tif 000007
【図７】
0004354624.tif 000008
【図８】
0004354624.tif 000009
【図９】
0004354624.tif 000010